(57)【要約】【課題】小型記憶装置を邪魔にならずに携行でき、時計としての機能を有して利便性に優れる。【解決手段】ＵＳＢコネクタ２２、タイミング制御回路２４、電源部２８及びメモリモジュール２６を有する携帯用小型記憶装置２を、両端に設けた引通し部　１３，１３’に時計バンド１３１，１３１’を装着した本体部１の一端に形成した開口部１１０に挿入するとともに他端に軸着した蓋１２により着脱自由に装着し、且つ、前記携帯用小型記憶装置２または本体部１の何れかに少なくとも一つの時刻表示部２１を設けた。【選択図】　　　図２
0003098803.tif 000002
【実用新案登録請求の範囲】
【請求項１】
ＵＳＢコネクタ、タイミング制御回路、電源部及びメモリモジュールを有する携帯用小型記憶装置を、両端に設けた引通し部に時計バンドを装着した本体部の一端に形成した開口部に挿入するとともに他端に軸着した蓋により着脱自由に装着し、且つ、前記携帯用小型記憶装置または本体部の何れかに少なくとも一つの時刻表示部を設けたことを特徴とする小型記憶装置を収容した腕時計。
【請求項２】
前記本体部に設けられた引通し部は、本体部に装着されるバネ棒により本体部に支持されている請求項１に記載の小型記憶装置を収容した腕時計。
【請求項３】
前記本体部に対応する引通し部は、前記本体部の前後端またたは左右端にそれぞれ設けられている請求項１または２に記載の小型記憶装置を収容した腕時計。
【請求項４】
前記携帯用小型記憶装置に設けられた電源部は、主に時刻表示部に電力を提供する請求項１，２または３に記載の小型記憶装置を収容した腕時計。
【請求項５】
前記時刻表示部が、液晶ディスプレーを利用したものである請求項１，２，３または４に記載の小型記憶装置を収容した腕時計。
【請求項６】
前記時刻表示部が、アナログ時計を利用したものである請求項１，２，３，４または５に記載の小型記憶装置を収容した腕時計。
【請求項７】
前記携帯用小型記憶装置が充電器を有し、ＵＳＢコネクタから入力された電力を前記タイミング制御回路および時刻表示部に供給する請求項１，２，３，４，５または６に記載の小型記憶装置を収容した腕時計。
【請求項８】
前記携帯用小型記憶装置の一側に、時刻調整と表示切換を操作する制御ボタンが設けられている請求項１，２，３，４，５，６または７に記載の小型記憶装置を収容した腕時計。
【請求項９】
前記携帯用小型記憶装置の底部に形成した止め溝を本体部に突設置した止めピンに嵌め込無ことにより前記携帯用小型記憶装置を本体部に固定する請求項１，２，３，４，５，６または７に記載の小型記憶装置を収容した腕時計。
【請求項１０】
前記蓋の下方に形成されたバネ棒ピン挿入孔にバネ棒を挿入して本体部と接合することにより蓋を本体部に設ける１，２，３，４，５，６，７または８に記載の小型記憶装置を収容した腕時計。
【考案の詳細な説明】
【０００１】
【考案の属する技術分野】
本考案は、ＵＳＢコネクタを有するフラッシュメモリを用いた携帯用小型記憶装置を収容した腕時計に関するものである。
【０００２】
【従来の技術】
従来、フラッシュメモリにＵＳＢコネクタを設けた携帯用小型記憶装置が知られており、ＵＳＢコネクタを経由しホスト端末に簡単に接続し、データの伝送と保存機能を持ち、小型、大容量、省ペース、携帯性などの利点があり、現在汎用されている。
【０００３】
【考案が解決しようとする課題】
前記フラッシュメモリにＵＳＢコネクタを設けた携帯用小型記憶装置は、小型なので、紛失を防ぐため、多くの利用者はよく紐を用いて首に吊るして携行しているが、現在パソコンの利用者の多くを占める会社員などは、従業員カードや携帯電話などを首に吊している人が多く、更に、携帯用小型記憶装置を首に吊すと邪魔になり、また、首に負担をかけることになる。
【０００４】
本考案は前記実情に鑑みてなされたものであり、超小型記憶装置を邪魔にならずに携行でき、時計としての機能を有する利便性に優れた携帯用小型記憶装置を収容した腕時計を提供するものである。
【０００５】
【課題を解決するための手段】
前記課題を解決するため本考案は、ＵＳＢコネクタ、タイミング制御回路、電源部及びメモリモジュールを有する携帯用小型記憶装置を、両端に設けた引通し部に時計バンドを装着した本体部の一端に形成した開口部に挿入するとともに他端に軸着した蓋により着脱自由に装着し、且つ、前記携帯用小型記憶装置または本体部の何れかに少なくとも一つの時刻表示部を設けた。
【０００６】
時計バンドを有する本体部に携帯用小型記憶装置を装着することにより、邪魔にならずに腕時計のように腕に付けて携行することができ、時刻表示部を設けることにより時計としての機能を有し利便性に優れる。
【０００７】
【考案の実施の形態】
次に本考案の実施の形態につき詳細に説明する。
図１乃至図３は、本考案の第１の実施の形態であり、携帯用小型記憶装置２は、その外部に液晶ディスプレー（ＬＣＤ）式の時刻表示部２１が設けられ、パーソナルコンピュータまたは携帯型情報端末装置（ＰＤＡ）などの情報読み書き装置（図示せず）に接続するＵＳＢコネクタ２２が備えられ、その末端に本体部１に連接して固定する凸部２３が設けられている。尚、前記時刻表示部２１は液晶ディスプレー（ＬＣＤ）を用いたが他のタイプのものであってもよい。。
【０００８】
また、本体部１には、携帯用小型記憶装置２を装着する開口部１１０が一体成型により形成されているとともに、他端に突設した取付部材１１、１１’にＬ型の蓋１２が開閉可能に設けられて開閉部１２２が形成されている。更に、詳しく説明すると、取付部材１１、１１’に形成したバネ棒ピン挿入孔１４、１４および蓋１２に前記バネ棒ピン挿入孔１４、１４に対応して形成した取付部材挿入穴１２１，１２１に連通して挿着されたバネ棒１５により蓋１２が取付部材１１、１１’に開閉可能に取り付けられているともに、取付部材１１、１１’に形成した凹溝１６、１６’と、これらの凹溝１６、１６’に対応して蓋１２の内側に突設された突起１２３，１２３’を開閉部１２２の開閉動作に伴って係脱させることによりロックの形成または解除を行う。
【０００９】
更に、本体部１の前後端に形成された引通し部１３、１３’に時計バンド１３１、１３１’を装着する。
【００１０】
更にまた、図４及び図５に示すように、携帯用小型記憶装置２の内部基板２５に、ＵＳＢコネクタ２２、時刻表示部２１、タイミング制御回路２４、電源部２８、充電器２７、メモリモジュール２６が設けられている。
電源部２８は、時刻表示部２１とタイミング制御回路２４に電力を提供する内部電池であり、ＵＳＢコネクタ２２をパソコンまたは他の情報読み書き装置などのホスト端末に接続して導入する電源を充電器２７を介して充電する。携帯用小型記憶装置２の一側に設けられた制御ボタン２９は、時刻調整と表示切換を操作する。メモリモジュール２６は、携帯用小型記憶装置２の現有技術なので、ここで説明を省略する。
【００１１】
本実施の形態は、図６または図７に示した本考案の第２および第３の実施の形態に示すように、本体部１の開口部１１０に形成した止めピン１１１、１１１’をこれらに対応して携帯用小型記憶装置２の底部に設けられた止め溝２０に嵌挿するとともに蓋１２を閉じた状態で携帯用小型記憶装置２を本体部１に装着する。
【００１２】
また、図８に示した本考案の第４の実施の形態に示すように、本体部１に形成した開口部に携帯用小型記憶装置２の末端の凸部２３を蓋１２側にＵＳＢコネクタ２２を配置した状態で装着する実施の形態では、バネ棒１５を軸として蓋１２を開き、蓋１２の底部をＵＳＢコネクタ２２にぶつけて、回転させることにより、携帯用小型記憶装置２の末端の凸部２３が本体部１から完全に離れた状態となり、携帯用小型記憶装置２を本体部１から取り外すことができる。
【００１３】
図９、図１０、図１１、図１２は、蓋１２と本体部１の構造設計は前記実施の形態と同様である本考案の異なる実施の形態を示すものであり、図９に示した第５の実施の形態は、本体部１の表面にアナログ時計２１０を設けたもので、従来、時刻を表示しない携帯用小型記憶装置２を用いることができる。図１０に示した第６の実施の形態は、携帯用小型記憶装置２の表面にアナログ時計２１０を設けたもの、また、図１１に示した第７の実施の形態は、本体部１の表面にアナログ時計２１０、携帯用小型記憶装置２の表面にデジタル式の時刻表示部２１を設けたもの、図１２に示した第８の実施の形態は、携帯用小型記憶装置２の表面に、アナログ時計２１０とデジタル式の時刻表示部２１を設けものであり、利用者のニーズに合わせる。
【００１４】
以上説明した実施の形態は、あくまでも便宜上の一手法として採用するものである。すべて本考案の構造、装置、特徴などに類似するものは、本考案の実用新案登録の範囲である。また、実施の形態のみに限定するものでは決してなく、他の一切の利用範囲もその中に含むものである。
【００１５】
【考案の効果】
以上のように、本考案は、利便性の向上と腕時計の多機能化をさせて、携帯用小型記憶装置および腕時計機能を備え、従来の腕時計の機能を拡張するものである。
【図面の簡単な説明】
【図１】本考案の第１の実施の形態の一例を示す斜視図である。
【図２】第１の実施の形態の分解斜視図である。
【図３】第１の実施の形態の概略縦断面部分図である。
【図４】第１の実施の形態に使用した携帯用小型記憶装置の内部を示す概略図である。
【図５】第１の実施の形態に使用した携帯用小型記憶装置の回路ブロック図である。
【図６】本考案の第２の実施の形態を示す概略縦断面部分図である。
【図７】本考案の第３の実施の形態を示す概略縦断面部分図である。
【図８】本考案の第４の実施の形態を示す概略縦断面部分図である。
【図９】本考案の第５の実施の形態を示す斜視図である。
【図１０】本考案の第６の実施の形態を示す斜視図である。
【図１１】本考案の第７の実施の形態を示す斜視図である。
【図１２】本考案の第８の実施の形態を示す斜視図である。
【符号の説明】
１　　　　本体部
１１　　　取付部材
１１’　　取付部材
１１１　　止めピン
１１１’　止めピン
１１０　　開口部
１２　　　蓋
１２’　　蓋
１２１　　取付部材挿入穴
１２２　　開閉部
１２３　　突起
１３　　　引通し部
１３’　　引通し部
１３１　　時計バンド
１３１’　時計バンド
１４　　　バネ棒ピン挿入孔
１４’　　バネ棒ピン挿入孔
１５　　　バネ棒
１６　　　凹溝
１６’　　凹溝
２　　　　携帯用小型記憶装置
２０　　　止め溝
２１　　　時刻表示部
２１０　　時計
２２　　　ＵＳＢコネクタ
２３　　　凸部
２４　　　タイミング制御回路
２５　　　基板
２６　　　メモリモジュール
２７　　　充電器
２８　　　電源部
２９　　　制御ボタン
【図１】
0003098803.tif 000003
【図２】
0003098803.tif 000004
【図３】
0003098803.tif 000005
【図４】
0003098803.tif 000006
【図５】
0003098803.tif 000007
【図６】
0003098803.tif 000008
【図７】
0003098803.tif 000009
【図８】
0003098803.tif 000010
【図９】
0003098803.tif 000011
【図１０】
0003098803.tif 000012
【図１１】
0003098803.tif 000013
【図１２】
0003098803.tif 000014